(57)【要約】【課題】玉箱によって、再生される音声の質が低下してしまうようなことがない遊技機を提供すること。【解決手段】遊技機１は、遊技機１の前面に設けられた操作ハンドル８と、前記前面のうち、前記操作ハンドル８よりも下方に設けられた音出口７ａからスピーカ１５の音声を放出するスピーカユニット７とを備えた、前記音出口７ａは、前記操作ハンドル８よりも右側に位置し、前記スピーカユニット７は、前記スピーカ１５から前記音出口７ａまで連通する音導部１７を有することを特徴とする。【選択図】  図３
2008264025.tif 000002
【特許請求の範囲】
【請求項１】
遊技機の前面に設けられた操作ハンドルと、
前記前面のうち、前記操作ハンドルよりも下方に設けられた音出口からスピーカの音声を放出するスピーカユニットと、
を備えた遊技機であって、
前記音出口は、前記操作ハンドルよりも右側に位置し、
前記スピーカユニットは、前記スピーカから前記音出口まで連通する音導部を有することを特徴とする遊技機。
【請求項２】
前記スピーカは、前方から見たとき、右向きとなるように配置されていることを特徴とする請求項１記載の遊技機。
【請求項３】
前記スピーカは、前方から見たとき、下向きとなるように配置されていることを特徴とする請求項１記載の遊技機。
【請求項４】
前記音導部は、その内壁に音響負荷部を有することを特徴とする請求項１〜３のいずれかに記載の遊技機。
【請求項５】
前記遊技機の筐体は、その側面の内側に切り欠き部を有し、
前記音出口は、前方から見たとき、少なくともその一部が、前記切り欠き部に入り込んでいることを特徴とする請求項１〜４のいずれかに記載の遊技機。
【請求項６】
前記筐体の内側のうち、前記切り欠き部の少なくとも一部を含む領域は、防磁機能を有する材料から成る補強部材により被覆されていることを特徴とする請求項５記載の遊技機。
【請求項７】
前記音導部は、音声の主たる放出方向が、前記操作ハンドルに向かう方向となるように配置されていることを特徴とする請求項１〜６のいずれかに記載の遊技機。
【請求項８】
前記スピーカユニットの位置を、遊技を提供するときの位置である位置Ｘと、前記位置Ｘよりも前方にある位置Ｙとの間で移動させる移動手段を備えることを特徴とする請求項１〜７のいずれかに記載の遊技機。
【発明の詳細な説明】
【技術分野】
【０００１】
本発明は、前面に設けられた操作ハンドルと、操作ハンドルよりも下方に設けられた音出口からスピーカの音声を放出するスピーカユニットとを備えた遊技機に関する。
【背景技術】
【０００２】
パチンコ機等の遊技機は、スピーカユニットを搭載し、遊技機前面の音出口から効果音または遊技中の報知音等を再生する。スピーカユニットの取り付け位置として、幕板（外枠の前面側のうち、内枠よりも下方の部分）の裏側を利用することが提案されている（特許文献１参照）。この部分は比較的スペースが広いため、大きいスピーカユニットを取り付けることができ、低音域の音声を発生させ易くなり、音質を向上させることができる。この場合、音出口は幕板に設けられる。
【特許文献１】特開２００３−１３５６９０号公報
【発明の開示】
【発明が解決しようとする課題】
【０００３】
通常、幕板の前方は玉箱が置かれる場所である。多くの遊技者は、玉箱を、その右端が操作ハンドルの下となる位置に置き、玉箱を手置き台の代わりに利用している。よって、幕板の前方は、広い範囲にわたって玉箱により覆われ、幕板に設けられた音出口も、玉箱により塞がれてしまう。この場合、スピーカユニットにより再生される音声の質が低下してしまうという問題があった。
【０００４】
本発明は上記の点に鑑みなされたものであり、玉箱によって、再生される音声の質が低下してしまうようなことがない遊技機を提供することを目的とする。
【課題を解決するための手段】
【０００５】
（１）請求項１の発明は、
遊技機の前面に設けられた操作ハンドルと、
前記前面のうち、前記操作ハンドルよりも下方に設けられた音出口からスピーカの音声を放出するスピーカユニットと、
を備えた遊技機であって、
前記音出口は、前記操作ハンドルよりも右側に位置し、
前記スピーカユニットは、前記スピーカから前記音出口まで連通する音導部を有することを特徴とする遊技機を要旨とする。
【０００６】
本発明の遊技機では、音出口が、操作ハンドルよりもさらに右寄りにあるため、玉箱を手置き台の代わりとするときの位置（玉箱の右端が操作ハンドルの下となる位置）においても、音出口は、玉箱により塞がれてしまうようなことがない。その結果、スピーカユニットは、音質を低下させることなく、音声を再生することができる。
【０００７】
また、本発明の遊技機は、スピーカで再生した音声を、音導部により音出口に伝える構造を有しているので、仮に、スピーカを、遊技機内における右端に設置できなくても、音出口の位置を、遊技機の右端付近に設けることができる。
（２）請求項２の発明は、
前記スピーカは、前方から見たとき、右向きとなるように配置されていることを特徴とする請求項１記載の遊技機を要旨とする。
【０００８】
本発明の遊技機では、スピーカが右向きに取り付けられているので、遊技機の前方から見たとき、スピーカの左右方向の大きさは、スピーカを正面向きに取り付けた場合よりも小さくなる。その結果、スピーカが大きいものである場合でも、スピーカを正面向きに取り付けた場合に比べて、スピーカを遊技機の右寄りに設置し、短い音導部でスピーカと音出口とを接続することができる。また、スピーカが右向きに取り付けられていることにより、スピーカで再生された音声は、音導部で屈折してから音出口に至る。音導部における屈折は、空気の圧縮を増加させ、音声の低音域を拡大する作用を奏する。よって、音声は、音導部において屈折することにより、その音質が一層良くなる。
（３）請求項３の発明は、
前記スピーカは、前方から見たとき、下向きとなるように配置されていることを特徴とする請求項１記載の遊技機を要旨とする。
【０００９】
本発明の遊技機では、スピーカが下向きに取り付けられているので、遊技機の前方から見たとき、スピーカの上下方向の大きさは、スピーカを正面向きに取り付けた場合よりも小さくなる。その結果、スピーカが大きいものである場合でも、スピーカを正面向きに取り付けた場合に比べて、スピーカを遊技機の下寄りに設置し、短い音導部でスピーカと音出口とを接続することができる。また、スピーカが下向きに取り付けられていることにより、スピーカで再生された音声は、音導部で屈折してから音出口に至る。音導部における屈折は、空気の圧縮を増加させ、音声の低音域を拡大する作用を奏する。よって、音声は、音導部において屈折することにより、その音質が一層良くなる。
（４）請求項４の発明は、
前記音導部は、その内壁に音響負荷部を有することを特徴とする請求項１〜３のいずれかに記載の遊技機を要旨とする。
【００１０】
本発明の遊技機は、音導部の内壁に音響負荷部を備えるので、再生音の音質を一層向上させることができる。
（５）請求項５の発明は、
前記遊技機の筐体は、その側面の内側に切り欠き部を有し、
前記音出口は、前方から見たとき、少なくともその一部が、前記切り欠き部に入り込んでいることを特徴とする請求項１〜４のいずれかに記載の遊技機を要旨とする。
【００１１】
本発明の遊技機では、前方から見たとき、音出口が、筐体の側面における内側に形成された切り欠き部に入り込んでいるので、音出口の位置は、切り欠き部がない場合に比べて、一層、右寄りとなっている。そのため、音出口が玉箱により塞がれてしまうようなことが一層起こりにくい。
（６）請求項６の発明は、
前記筐体の内側のうち、前記切り欠き部の少なくとも一部を含む領域は、防磁機能を有する材料から成る補強部材により被覆されていることを特徴とする請求項５記載の遊技機を要旨とする。
【００１２】
本発明の遊技機では、切り欠き部の少なくとも一部を含む領域は、補強部材により被覆され、補強されているので、この部分で破損してしまうようなことがない。また、切り欠き部の部分では、筐体の厚みが薄くなっているが、防磁機能を有する補強部材で覆われているので、スピーカに使用されている磁石の磁力線が、切り欠き部から漏れだし、外部に悪影響を与えてしまうようなことがない。
【００１３】
前記防磁機能を有する材料としては、例えば、金属を含む材料が挙げられる。金属としては、例えば、銅、銀、金、ニッケル、アルミ、鉄等が挙げられる。
（７）請求項７の発明は、
前記音導部は、音声の主たる放出方向が、前記操作ハンドルに向かう方向となるように配置されていることを特徴とする請求項１〜６のいずれかに記載の遊技機を要旨とする。
【００１４】
本発明の遊技機では、音導部から放出された音声が操作ハンドルに向かうので、操作ハンドルが音声に応じて振動し、遊技者は、音声に応じた振動を手で感じる。よって、本発明の遊技機は、聴覚だけでなく、触覚を用いて遊技の演出を行うことができる。
（８）請求項８の発明は、
前記スピーカユニットの位置を、遊技を提供するときの位置である位置Ｘと、前記位置Ｘよりも前方にある位置Ｙとの間で移動させる移動手段を備えることを特徴とする請求項１〜７のいずれかに記載の遊技機を要旨とする。
【００１５】
本発明の遊技機は、移動手段によってスピーカユニットの位置を位置Ｙとするだけで、スピーカユニットに邪魔されず、遊技機を島側に釘打ちすることができる。また、釘打ちが終了したときは、移動手段によって、スピーカユニットの位置を位置Ｘにするだけでよいので、作業が容易である。
【発明を実施するための最良の形態】
【００１６】
本発明を実施例に基づいて説明する。
【実施例１】
【００１７】
ａ）遊技機１の全体構成
まず、本発明に係る遊技機１の全体構成を図１及び図２に基づいて説明する。遊技機１は、外枠３と、内枠５と、スピーカユニット７とを備えている。
【００１８】
上記外枠３は、矩形に形成された木製の部材であり、上側の横枠板３ａ、下側の横枠板３ｂ、右側の縦枠板３ｃ、及び左側の縦枠板３ｄから構成される。
上記内枠５は、ヒンジ９を介して、外枠３に対して開閉自在に取り付けられている。内枠５は、外枠３に対して閉じられた状態のとき、外枠３の前面側のうち、外枠３の下端から、一定の高さまでの領域（以下、「スピーカ領域１１」とする）を除く部分を覆う。内枠５には、遊技盤６、操作ハンドル８など、通常の遊技機が備える各種部材が取り付けられている。操作ハンドル８の位置は、内枠５における右下寄りであり、スピーカ領域１１の上側である。
【００１９】
上記スピーカユニット７は、スピーカ領域１１に配置され、そのスピーカ領域１１において、外枠３の前面側を覆っている。
ｂ）スピーカユニット７及びその周辺部の構成
次に、スピーカユニット７及びその周辺部の詳細な構成を図３〜図５に基づいて説明する。スピーカユニット７は、幕板１３と、スピーカ１５と、ダクト１７と、エンクロージャー１９とから構成される。
【００２０】
上記幕板１３は、板状の部材であり、上記スピーカ領域１１において、外枠３の前面側を覆っている。また、この幕板１３の右端付近には、縦長の矩形形状を有する開口部１３ａが設けられている。開口部１３ａの左右方向における位置は、操作ハンドル８の右端よりも、さらに右寄りである。
【００２１】
上記スピーカ１５は、幕板１３の右端付近における背面側に取り付けられており、その正面１５ａ（主として音声を放出する面）は、遊技機１における右方向（図３における右方向）を向いている。
【００２２】
上記ダクト１７は、略Ｌ字型の形状を有し、スピーカ１５の正面１５ａに接続し、遊技機１の右方向へ延びる部分である１７ａと、そこから９０度屈曲し、前方へ延び、幕板１３の開口部１３ａを通り、幕板１３の前方に至る部分である１７ｂとから構成される。１７ｂのうち、前方側の端部には、縦長のスリットである音出口１７ｃが形成されている。よって、スピーカ１５により再生された音声は、ダクト１７内を通り、音出口１７ｃから、前方に放出される。なお、上述したとおり、開口部１３ａの位置は、操作ハンドル８の右端よりも、さらに右寄りであるから、そこを通るダクト１７、及び音出口１７ｃも、操作ハンドル８の右端よりも、さらに右寄りである。
【００２３】
ダクト１７の内壁のうち、スピーカ１５の正面１５ａと対向する面には、周囲よりも略半球状に隆起した隆起部２０が形成されている。
上記エンクロージャー１９は、前面のみ開口した箱状の部材であり、その内部に、スピーカ１５及びダクト１７を収容している。そして開口している面において、幕板１３の背面に取り付けられている。
【００２４】
なお、右側の縦枠板３ｃの内面のうち、スピーカ領域１１にある部分には、一定の深さで切りかかれた切り欠き部２１が形成されており、エンクロージャー１９の右側面を含む部分は、前方から見たとき、その切り欠き部２１に入り込んでいる。すなわち、エンクロージャー１９（及びその中に収容されたスピーカ１５及びダクト１７）は、切り欠き部２１がない場合に比べて、一層、右寄りに配置されている。
【００２５】
右側の縦枠板３ｃの内面のうち、切り欠き部２１及びその周辺部は、シート状の補強部材２３により被覆されている。補強部材２３の材質はアルミや鉄等の金属であり、防磁機能を有する。
【００２６】
図３に示すように、遊技機１の前方に玉箱１０１を置いたとき、玉箱１０１は、幕板１３の前方に位置する。そして、玉箱１０１を、手置き台の代わりとするとき、玉箱１０１の位置は、その右端が操作ハンドル８の下となる位置となる。
【００２７】
ｃ）遊技機１が奏する効果
(i) 遊技機１は、スピーカ１５で再生した音声を、ダクト１７により音出口１７ｃに伝える構造を有している。そのため、音出口１７ｃを、遊技機１の右端付近（操作ハンドル８の右端よりも、さらに右寄り）に設けることができる。すなわち、スピーカ１５は、所定の横方向の大きさを有し、その右端が右側の縦枠板３ｃに当たってしまうので、一定以上、遊技機１の右端に接近させることは困難であるが、本実施例１では、スピーカの再生音を、ダクト１７を用いて、スピーカ１５から離れた位置にある音出口１７ｃに伝えることができるので、たとえ、スピーカ１５の位置が、遊技機１の右端から離れた位置であっても、音出口１７ｃの位置を、遊技機１の右端付近に設けることができる。
【００２８】
上記のとおり、遊技機１の音出口１７ｃが、操作ハンドル８の右端よりも、さらに右寄りにあるため、玉箱１０１を、手置き台の代わりとするときの位置（玉箱１０１の右端が操作ハンドル８の下となる位置）に置いても、音出口１７ｃは、玉箱１０１により塞がれてしまうようなことがない。その結果、スピーカユニット７は、音質を低下させることなく、音声を再生することができる。
【００２９】
(ii)遊技機１では、スピーカ１５が右向きに取り付けられている。そのため、遊技機１の前方から見たとき、スピーカ１５の左右方向の大きさは、スピーカ１５を正面向きに取り付けた場合よりも小さくなる。その結果、スピーカ１５が大きいものである場合でも、スピーカ１５を正面向きに取り付けた場合に比べて、スピーカ１５を遊技機１の右寄りに設置し、短いダクト１７でスピーカ１５と音出口１７ｃとを接続することができる。また、スピーカ１５が右向きに取り付けられていることにより、スピーカ１５で再生された音声は、ダクト１７で屈折してから音出口１７ｃに至る。ダクト１７における屈折は、空気の圧縮を増加させ、音声の低音域を拡大する作用を奏する。よって、音声は、ダクト１７において屈折することにより、その音質が一層良くなる。
【００３０】
(iii)ダクト１７の内壁に、周囲よりも隆起した隆起部２０が形成されているため、スピーカ１５から音出口１７ｃに至るまでの経路におけるダクト１７の断面積（音声の進行方向に直交する断面での断面積）は、隆起部２０の直前の部分（音響負荷部）から、隆起部２０の頂点を通る部分まで、連続的に小さくなる。そのため、スピーカ１５の再生音が隆起部２０を通るとき、音響負荷部の空気が負荷質量となり振動系の質量がさらに増加し、空気の圧縮がさらに増加するので、音声は再生帯域、特に低音域が一層拡大される。また、音響負荷部を音声が通過することにより、音響負荷部内のコンプライアンスは小さくなり、高域共振周波数におけるピークディップを低減することができる。
【００３１】
すなわち、遊技機１は、ダクト１７内に、隆起部２０により形成された音響負荷部を備えるので、再生音の音質を向上させることができる。
(iv)本実施例１では、上述したとおり、右側の縦枠板３ｃの内面に切り欠き部２１が形成され、エンクロージャー１９及びダクト１７の右端付近はその中に入り込んでいるので、ダクト１７及び音出口１７ｃの位置は、切り欠き部２１がない場合に比べて、一層、右寄りとなっている。そのため、音出口１７ｃが玉箱１０１により塞がれてしまうようなことが一層起こりにくい。
【００３２】
(v)切り欠き部２１は、シート状の補強部材２３により被覆され、補強されているので、この部分で破損してしまうようなことがない。また、また、切り欠き部２１の部分では、右側の縦枠板３ｃの厚みが薄くなっているが、防磁機能を有する補強部材２３で覆われているので、スピーカに使用されている磁石の磁力線が、切り欠き部２１から漏れだし、外部に悪影響を与えてしまうようなことがない。
【実施例２】
【００３３】
本実施例２の遊技機１の構成は、基本的には前記実施例１と同様であるが、スピーカユニット７の構成において相違する。以下では、図６〜図８に基づき、この相違点を中心に説明する。
【００３４】
本実施例２では、スピーカ１５は、その正面１５ａが、遊技機１における下向きとなるように配置されており、ダクト１７は、スピーカ１５の下方から、正面１５ａに接続している。ダクト１７は、図８に示すように、前方に近づくほど右寄りとなり、幕板１３の開口部１３ａを通り、幕板１３の前方に至る。ダクト１７の断面形状は、スピーカ１５の付近では、横長の形状であり、音出口１７ｃに近づくにつれて、徐々に、縦長の形状となる。また、スピーカ１５は、前記実施例１の場合よりも後方に位置しており、その一部は外枠３の後端よりも後方に突出している。それにともない、スピーカ１５を収容するエンクロージャー１９も、外枠３の後端よりも後方に突出している。また、ダクト１７の内部には、前記実施例１における隆起部２０は形成されていない。
【００３５】
本実施例２の遊技機１も、前記実施例１と同様に、遊技機１の音出口１７ｃが、操作ハンドル８の右端よりも、さらに右寄りにあるため、玉箱を、手置き台の代わりとするときの位置（玉箱の右端が操作ハンドル８の下となる位置）においても、音出口１７ｃは、玉箱により塞がれてしまうようなことがない。その結果、スピーカユニット７は、音質を低下させることなく、音声を再生することができる。
【００３６】
また、本実施例２の遊技機１では、スピーカ１５が下向きに取り付けられているため、スピーカ１５の上下方向での大きさは、スピーカ１５を正面向きに取り付けた場合よりも小さくなる。その結果、スピーカ１５が大きい場合でも、スピーカ１５を遊技機１の下寄りに設置し、短いダクト１７でスピーカ１５と音出口１７ｃとを接続することができる。また、スピーカ１５が下向きに取り付けられていることにより、スピーカ１５で再生された音声は、ダクト１７で屈折してから音出口１７ｃに至る。ダクト１７における屈折は、空気の圧縮を増加させ、音声の低音域を拡大する作用を奏する。よって、音声は、ダクト１７において屈折することにより、その音質が一層良くなる。
【実施例３】
【００３７】
本実施例３の遊技機１の構成は、基本的には前記実施例２と同様であるが、ダクト１７の形状において相違する。以下では、図９〜図１１に基づき、この相違点を中心に説明する。
【００３８】
ダクト１７のうち、スピーカ１５の前端１５ｄから音出口１７ｃへ向かう部分である中間部１７ｅは、全体として、斜め上向きとなっている。すなわち、中間部１７ｅにおける上面１７ｅ１及び下面１７ｅ２は、いずれも、前方にゆくほど高くなるように傾斜している。そのため、中間部１７ｅを通り、音出口１７ｃから放出される音声の進行方向は、斜め上に向かう方向となる。そして、その進行方向の延長線上には、操作ハンドル８がある。
【００３９】
本実施例３では、上記のように、音出口１７ｃから放出された音声が操作ハンドル８に向かうので、操作ハンドル８が音声に応じて振動し、遊技者は、音声に応じた振動を手で感じる。よって、本実施例３の遊技機１は、聴覚だけでなく、触覚を用いて遊技の演出を行うことができる。
【実施例４】
【００４０】
本実施例４の遊技機１の構成は、基本的には前記実施例１と同様であるが、スピーカユニット７の構成において相違する。以下では、図１２に基づき、この相違点を中心に説明する。
【００４１】
本実施例４では、幕板１３の左端は、左側の縦枠板３ｄに対し、ヒンジ２５を介して回動可能に取り付けられており、幕板１３は、このヒンジ２５を回転軸として、横開き可能である。幕板１３を手前側に回動させたとき（図１２における位置Ｙ）、幕板１３に対し一体に取り付けられたスピーカ１５、ダクト１７、及びエンクロージャー１９は、遊技を提供するときの位置（図１２における位置Ｘ）よりも前方に移動し、下側の横枠板３ｂの上方は、スピーカ１５等で覆われることなく、開放される。
【００４２】
遊技機１は、下側の横枠板３ｂを島側に、３寸（約５ｃｍ）程度の釘を用いて釘打ちすることで島側に固定され、下側の横枠板３ｂのうち、右端（遊技を提供するときにスピーカ１５等がある位置）にも釘が打たれる。
【００４３】
本実施例４の遊技機１は、上述したように、幕板１３を横開きにして、下側の横枠板３ｂの上方（特に右端付近）からスピーカ１５、ダクト１７、及びエンクロージャー１９を一時的に除くことができるので、釘打ちを容易に行うことができる。さらに、釘打ちが終了したときは、幕板１３を閉じるだけで、スピーカ１５、ダクト１７、及びエンクロージャー１９の位置を、遊技を提供するときの位置（図１２における位置Ｘ）に戻すことができる。
【実施例５】
【００４４】
本実施例５の遊技機１の構成は、基本的には前記実施例１と同様であるが、スピーカユニット７の構成において相違する。以下では、図１３、図１４に基づき、この相違点を中心に説明する。
【００４５】
本実施例５では、下側の横枠板３ｂの上面であって、エンクロージャー１９の下側となる位置に、スライドガイド部材２７を備えている。このスライドガイド部材２７は、長手方向が遊技機１の前後方向に沿うように配置されたレール状の部材である。スライドガイド部材２７の断面形状は、図１３に示すように、水平に配置された板状部材である底面部２７ａと、底面部２７ａの左右両端から、それぞれ上方に立設された一対の側面部２７ｂと、一対の側面部２７ｂの上端付近から、それぞれ、内側に突出する一対の突出部２７ｃとから構成される。
【００４６】
一方、エンクロージャー１９の下面には、スライドガイド部材２７における側面部２７ｂの上半分、及び突出部２７ｃをはめ込むことができるように、それらの形状に応じた溝２９が、前後方向に沿って形成されている。よって、この溝２９にスライドガイド部材２７をはめ込み、エンクロージャー１９をスライドガイド部材２７に対し、前後方向に摺動させることで、エンクロージャー１９（及びその中に収容されているスピーカ１５及びダクト１７）を前後方向に移動させることができる。また、幕板１３は、エンクロージャー１９の前面側に取り付けられおり、幕板１３も、エンクロージャー１９とともに、前後方向に移動する。
【００４７】
図１４において点線で示すエンクロージャー１９の位置は、遊技を提供するときの位置（位置Ｘ）である。一方、図１４において実線で表す位置（位置Ｙ）にエンクロージャー１９を引き出すと、下側の横枠板３ｂの上面の大部分は、エンクロージャー１９等で覆われることなく、開放される。
【００４８】
よって、本実施例５の遊技機１は、エンクロージャー１９の位置を位置Ｙにしておき、釘打ちを容易に行うことができる。さらに、釘打ちが終了したときは、エンクロージャー１９をスライドさせ、位置Ｙに戻すだけでよいので作業が容易である。
【００４９】
尚、本発明は前記実施の形態になんら限定されるものではなく、本発明を逸脱しない範囲において種々の態様で実施しうることはいうまでもない。
【図面の簡単な説明】
【００５０】
【図１】内枠５を閉じた状態における遊技機１の斜視図である。
【図２】内枠５を開放した状態における遊技機１の斜視図である。
【図３】遊技機１の正面透視図である。
【図４】遊技機１の側面透視図である。
【図５】遊技機１の平面透視図である。
【図６】遊技機１の正面透視図である。
【図７】遊技機１の側面透視図である。
【図８】遊技機１の平面透視図である。
【図９】遊技機１の正面透視図である。
【図１０】遊技機１の側面透視図である。
【図１１】遊技機１の平面透視図である。
【図１２】遊技機１の平面透視図である。
【図１３】スピーカユニット７及びその周辺を表す正面図である。
【図１４】スピーカユニット７及びその周辺を表す側面図である。
【符号の説明】
【００５１】
１・・・遊技機    ３・・・外枠    ３ｂ・・・下側の横枠板
３ｃ・・・右側の縦枠板    ５・・・内枠    ６・・・遊技盤
７・・・スピーカユニット  ９、２５・・・ヒンジ    １１・・・スピーカ領域
１３・・・幕板    １３ａ・・・開口部    １５・・・スピーカ
１７・・・ダクト    １７ｃ・・・音出口    １９・・・エンクロージャー
２０・・・隆起部    ２１・・・切り欠き部    ２３・・・補強部材
２７・・・スライドガイド部材    ２９・・・溝
【図１】
2008264025.tif 000003
【図２】
2008264025.tif 000004
【図３】
2008264025.tif 000005
【図４】
2008264025.tif 000006
【図５】
2008264025.tif 000007
【図６】
2008264025.tif 000008
【図７】
2008264025.tif 000009
【図８】
2008264025.tif 000010
【図９】
2008264025.tif 000011
【図１０】
2008264025.tif 000012
【図１１】
2008264025.tif 000013
【図１２】
2008264025.tif 000014
【図１３】
2008264025.tif 000015
【図１４】
2008264025.tif 000016